(57)【要約】【課題】  組立現場およびメンテナンス現場で利用可能であるとともに、型番が頻繁に変更された場合であっても、簡易迅速に部品等の物品の注文が可能な物品注文システムを提供する。【解決手段】  不可視のドットパターンが印刷されるとともに、拡散展開図が可視情報として印刷されたシート１０上において、ドットパターンの認識が可能なデジタルペン２０で筆記行為を行うことにより、デジタルペンが軌跡情報を取得して、情報端末３０に送信する。情報端末３０では、取得した軌跡情報をシート情報管理サーバ４０に送信する。シート情報管理サーバ４０は、受信した軌跡情報を図面番号ならびに掲載番号および指示情報に変換して、物品情報管理サーバ５０に送信する。物品情報管理サーバ５０は、受信した型番の物品に対して、受信した指示情報に対応する指示を実行する。【選択図】  図１
2008197774.tif 000002
【特許請求の範囲】
【請求項１】
各シートごとに一意のドットパターンを印刷したシートと、当該シート上のドットパターンを読み取って軌跡情報を取得するデジタルペンを利用して、物品の注文を行うシステムであって、
前記シートは、その紙面に複数の物品を含む図面および各物品の掲載番号が印刷されたものであり、
前記デジタルペンが前記シート上を移動することにより取得した軌跡情報を受信して、その図面番号、掲載番号および指示情報を取得するシート情報変換サーバと、
前記シート情報変換サーバから取得した図面番号及び掲載番号に従って型番を特定し、当該型番の注文の受付を行う物品管理サーバと、
を有することを特徴とする物品注文システム。
【請求項２】
さらに、前記デジタルペンと通信可能であるとともに、前記シート情報変換サーバおよび物品管理サーバと通信可能な情報端末を有し、
前記情報端末は、前記デジタルペンから受信した軌跡情報を前記シート情報変換サーバに送信する機能を有するとともに、前記物品管理サーバから受信した物品情報を表示する機能を有しており、
前記物品管理サーバは、前記型番を特定した際、当該型番の物品情報を前記情報端末に送信し、前記情報端末から受信した注文指示に従って注文の受付を行うものであることを特徴とする請求項１に記載の物品注文システム。
【発明の詳細な説明】
【技術分野】
【０００１】
本発明は、拡散展開図等の図面を用いて、簡易迅速に部品等の物品の注文を行うための技術に関する。
【背景技術】
【０００２】
従来より、組立型製造業（アッセンブリーメーカー）は、メンテナンス部品の提供や組立指示のために拡散展開図（テクニカルイラスト）を作成している。そして、この拡散展開図を組立現場、メンテナンス現場やメンテナンス代理店などに配布している。
【０００３】
メンテナンス現場では、メンテナンス時に部品が必要になった場合には、機種型番や年式などから総組立図やユニット構成図を閲覧して当該ユニットである部分組立拡散展開図中を辿り、同図面から必要な形状の部品を探し出し、その部品に付された番号と前出の部分組立拡散展開図の図面番号から当該部品の型番を知り、この型番で部品を特定してメーカーに発注するという作業が行われている。部品の型番については、新製品の発売や技術革新等により旧型番が廃止になって、新型番になるということが常日頃行われている。この場合、旧型番は通用しなくなるため、新型番となるたびに拡散展開図自体は変わる事もあるがさほど変わらず、拡散展開図に付された型番対応表が最新のものに差し替えられている。また、拡散展開図中に型番対応表を記述している場合には拡散展開図全体が差し替えられている。
【発明の開示】
【発明が解決しようとする課題】
【０００４】
上記型番の変更は、あまりにも頻繁に起こるため、差し替え漏れが生じる等の問題がある。これに対応するため、拡散展開図及び型番対応表を電子データで配信することも行われるようになってきているが、紙による一覧性にはかなわず、また、メンテナンス現場に持っていけない等の問題がある。一方、最近では、紙による利便性を活かしつつ、記入したデータを電子化する技術も提案されている（特許文献１参照）。
【特許文献１】特開２００４−２０６２９３号公報
【０００５】
そこで、本発明は、メンテナンス現場で利用可能であるとともに、型番が頻繁に変更された場合であっても、簡易迅速に部品等の物品の注文が可能な物品注文システムを提供することを課題とする。
【課題を解決するための手段】
【０００６】
上記課題を解決するため、本発明では、各シートごとに一意のドットパターンを印刷したシートと、当該シート上のドットパターンを読み取って軌跡情報を取得するデジタルペンを利用して、物品の注文を行うシステムであって、前記シートは、その紙面に複数の物品を含む図面および各物品の掲載番号が印刷されたものであり、前記デジタルペンが前記シート上を移動することにより取得した軌跡情報を受信して、その図面番号、掲載番号および指示情報を取得するシート情報変換サーバと、前記シート情報変換サーバから取得した図面番号及び掲載番号に従って型番を特定し、当該型番の注文の受付を行う物品管理サーバを有する物品注文システムを提供する。
【発明の効果】
【０００７】
本発明によれば、事前にシート上の位置と型番、デジタルペンが描く図形と注文指示を対応付けて登録しておき、図面が印刷されたシート上におけるデジタルペンの軌跡情報を取得し、対応する型番の物品の注文を受け付けるようにしたので、メンテナンス現場で利用可能であるとともに、型番が頻繁に変更された場合であっても、簡易迅速に物品の注文が可能となる。
【発明を実施するための最良の形態】
【０００８】
以下、本発明の好適な実施形態について、図面を参照して詳細に説明する。
（１．システム構成）
図１は、本発明に係る物品注文システムの一実施形態を示す構成図である。図１において、１０はシート、２０はデジタルペン、３０は情報端末、４０はシート情報管理サーバ、５０は物品情報管理サーバである。
【０００９】
シート１０およびデジタルペン２０はセットで用いられ、デジタルペンのペン先の軌跡およびシート上の位置情報を認識するとともにシートを特定する機能を有するものであり、その位置情報の認識等の基本機能は、Ａｎｏｔｏ社が開発した「アノトペン」の名称で用いられ、上記特許文献１に記載の公知の技術を採用している。すなわち、シート１０には、位置の特定が可能なように不可視の特殊インクで、ドットパターンが印刷されており、デジタルペン２０はプロセッサ、メモリ、カメラ、赤外線発行部、圧力センサ、Bluetooth（登録商標）通信機能を備えたものとなっている。なお、本発明で用いるデジタルペン２０は、ペン先の軌跡、位置情報の取得、およびシートの特定を目的としているため、筆記機能は必須ではない。デジタルペン２０が筆記機能を有する場合には、ラミネートシート等５の上から筆記することになる。
【００１０】
シート１０には、アノトシートとしての機能を有するための一見不可視（実際には、かすかに見える）の特殊インクが印刷されている他、通常のインクで可視情報である図面、図面番号および物品一覧が印刷されている。ここで、本実施形態で用いるシート１０の平面図を図２に示す。本実施形態では、図面として拡散展開図を用い、注文対象の物品として部品を用いているので、シート１０には、通常のインクで図２に示すような拡散展開図および部品一覧が印刷されている。図２の例では、４つの部品からなる製品の拡散展開図が示されている。各部品は拡散展開図上において、丸付き数字の掲載番号１〜４で示されている。また、部品一覧には、拡散展開図上の掲載番号と対応付けて部品名称が掲載されている。
【００１１】
情報端末３０は、デジタルペン２０からの軌跡情報を受信して、シート情報管理サーバ４０に送信するとともに、シート情報管理サーバ４０から受信した掲載番号および指示情報を物品情報管理サーバ５０に送信し、物品情報管理サーバ５０から取得した情報を画面に表示させる機能を有する端末装置である。情報端末３０は、デジタルペン２０と通信する必要があるため、メンテナンス現場に持ち込めるよう小型の携帯端末であることが望ましい。本実施形態では、インターネット接続機能を有する携帯電話機に専用のプログラムを搭載することにより実現している。
【００１２】
シート情報管理サーバ４０は、シート１０に特殊インクで塗布されたドットパターンとシート（図面番号）の対応関係、ドットパターンとシート上の位置情報との対応関係、各部品の掲載番号とシート上の位置情報との対応関係、およびデジタルペンの軌跡と指示情報との対応関係を記録しており、デジタルペンから受信したドットパターンの集合に基づいて、図面番号、部品の掲載番号、指示情報を特定し、物品情報管理サーバ５０に送信する機能を有している。
【００１３】
物品情報管理サーバ５０は、図面番号、掲載番号と型番の対応関係を記録しており、シート情報管理サーバ４０から受信した図面番号と掲載番号に対応する型番を認識し、その型番に対して、シート情報管理サーバ４０から受信した指示を実行する機能を有している。シート情報管理サーバ４０、物品情報管理サーバ５０は、ともにネットワークを介して情報端末３０と通信可能に設定されており、コンピュータに専用のプログラムを搭載することにより実現される。
【００１４】
ここで、物品情報管理サーバ５０に記録された物品情報の一例を図３に示す。図３に示すように、物品情報としては、各部品についての部品型番、部品名称、材質、コスト、購入先、代替可能品、マニュアルＵＲＬ、掲載番号などの部品属性が記録されている。
【００１５】
（２．処理動作）
次に、図１に示したシステムの処理動作について説明する。利用者は、組立現場やメンテナンス現場にシート１０、デジタルペン２０、情報端末３０を持ち込み、必要な部品を確認した後、シート１０上の対応する部品の掲載番号部分にデジタルペン２０のペン先で丸印を描く等の筆記行為を行う。この際に実際の図面への書込みを防止するため透明なラミネートシート５等を用いる。デジタルペン２０は、これにより、ペン先が動いた軌跡のドットパターンを取得する。ドットパターンは、毎秒１００回程度受信されるので、デジタルペン２０内のメモリには、ドットパターンの集合が蓄積されることになる。そして、デジタルペン２０に対して利用者が送信指示を行うと、デジタルペン２０は、取得したドットパターンの集合をデジタルペン２０の軌跡情報として情報端末３０に送信する。
【００１６】
情報端末３０では、デジタルペン１０からドットパターンの集合を受信すると、ネットワーク通信機能を起動させ、受信したドットパターンの集合をシート情報管理サーバ４０に送信する。シート情報管理サーバ４０は、どのドットパターンがどの図面番号に対応しているかの関係を記録しており、また、ドットパターンとシート上の位置情報との対応関係を記録しているので、受信したドットパターンに対応する図面番号とシート上の位置情報を取得する。そして、シート情報管理サーバ４０は、各部品の掲載番号とシート上の位置情報との対応関係も記録しているので、取得した位置情報に対応する掲載番号を取得する。さらに、シート情報管理サーバ４０は、図形と指示情報との対応関係も記録しているので、受信したドットパターンの集合から位置情報の変化を算出し、これから図形の形状を認識する。そしてこの図形に対応する指示情報を取得する。本実施形態では、シート情報管理サーバ４０には、丸印の図形と指示情報“注文”が対応付けて記録されているので、認識された図形が丸印である場合、“注文”の指示情報が取得される。
【００１７】
シート情報管理サーバ４０は、図面番号ならびに掲載番号および指示情報を取得すると、これを物品情報管理サーバ５０に送信する。デジタルペンで丸印が描かれた場合には、指示情報として“注文”が送信されることになる。物品情報管理サーバ５０では、図面番号ならびに掲載番号および指示情報を受信すると、受信した図面番号ならびに掲載番号で図３に示したような物品情報を参照し、対応する部品型番を取得する。そして、受信した指示情報に対応する処理を、取得した部品型番に対して実行する。従って、注文の指示を受けた場合には、その型番の注文処理を行うことになる。
【００１８】
上記の処理では、デジタルペンで丸印を描いた場合について説明したが、シート情報管理サーバ４０には、デジタルペンの軌跡に対応付けて、注文とは異なる指示情報も記録されており、デジタルペンの軌跡に応じて、異なる指示情報を物品情報管理サーバ５０に送信することができるようになっている。例えば、デジタルペンでＶ字型の文字（いわゆる“チェック”の意味）を描いた場合、シート情報管理サーバ４０では、そのドットパターンの集合を受信すると、その図形を認識し、対応する指示情報である“情報呼出”を物品情報管理サーバ５０に送信する。
【００１９】
物品情報管理サーバ５０では、受信した掲載番号に対応する部品型番を取得し、受信した指示情報である“情報呼出”に従った処理を行う。指示情報が“情報呼出”である場合、あらかじめ用意されたフォーマットに従って、取得した部品型番に対応する物品情報を配置したページデータを作成する。そして、このページデータを、送信元の情報端末３０に送信する。
【００２０】
情報端末３０では、受信したページデータを、ブラウザの機能または電子メール機能により認識して画面に表示させる。このとき、情報端末３０に表示される画面の状態を図４に示す。図４に示すように、情報端末３０には、対応する部品の物品情報が表示され、その下部に、“注文する”と表示された注文ボタン、取り扱い説明書のデータにアクセスするためのＵＲＬが表示される。そして、利用者は、この画面により部品の詳細を確認し、正しければ、画面に表示された注文ボタンに対して指示を行う。注文ボタンに対する指示がなされると、情報端末３０は、物品情報管理サーバ５０に、部品型番と“注文”の指示情報を送信する。物品情報管理サーバ５０は、部品型番と“注文”の指示情報を受信すると、その型番に対して注文処理を実行する。
【００２１】
以上、本発明の好適な実施形態について説明したが、本発明は上記実施形態に限定されず、種々の変形が可能である。例えば、上記実施形態では、シート上に拡散展開図を印刷し、この拡散展開図に含まれる部品の注文を行う場合を例にとって説明したが、拡散展開図に代えて建築図面、道路台帳、水道台帳等を印刷するようにしても良い。建築図面を印刷した場合、建築図面に含まれる設備に掲載番号を付しておくと共に、物品情報管理サーバ５０には、部品に代えて設備の情報を記録しておく。これにより、建築図面上でデジタルペン２０により指示を行うことにより設備の注文が可能となる。また、建築図面上に記述された定期検査が義務化されている消防設備やボイラー等を意味する図形に対して本発明を実施すれば検査記録の入力及び検査記録の閲覧が可能となる。
【図面の簡単な説明】
【００２２】
【図１】本発明に係る物品注文システムの一実施形態を示す構成図である。
【図２】本発明で用いるシート１０の平面図である。
【図３】物品情報管理サーバ５０に記録された物品情報の一例を示す図である。
【図４】情報端末３０に表示される物品情報表示画面の様子を示す図である。
【符号の説明】
【００２３】
１０・・・シート
２０・・・デジタルペン
３０・・・情報端末
４０・・・シート情報管理サーバ
５０・・・物品情報管理サーバ
【図１】
2008197774.tif 000003
【図２】
2008197774.tif 000004
【図３】
2008197774.tif 000005
【図４】
2008197774.tif 000006